(57)【要約】【課題】袋等の備品を使用する場合において、オペレータの身体への負担が軽減し、また、作業効率が向上し、かつ、レジ周りの見栄えが改善するための技術を提供する。【解決手段】精算カウンタと、前記精算カウンタに立設させ金銭を収納する金銭収納部を有する精算装置とから構成される精算システムであって、前記精算カウンタは、前記精算装置を据え付ける据付領域と前記据付領域の前方に買物カゴを通過させるカゴ通過領域とを有する天板と、前記天板の下部に備品を配設する備品配設部とを備え、前記精算装置は、前記金銭収納部の下方に、備品を収納する備品収納部を備え、前記据付領域には、前記天板を貫通して当該据付領域上部と前記備品配設部内とを連絡する穴部の開口部が形成され、前記備品収納部は、該精算装置を前記天板上に立設させたときに前記金銭収納部と前記天板との間に形成される空間である。【選択図】図１
2014139835.tif 000002
【特許請求の範囲】
【請求項１】
精算カウンタと、前記精算カウンタに立設させ金銭を収納する金銭収納部を有する精算装置とから構成される精算システムであって、
前記精算カウンタは、
前記精算装置を据え付ける据付領域と前記据付領域の前方に買物カゴを通過させるカゴ通過領域とを有する天板と、
前記天板の下部に備品を配設する備品配設部と
を備え、
前記精算装置は、
前記金銭収納部の下方に、備品を収納する備品収納部を備え、
前記据付領域には、
前記天板を貫通して当該据付領域上部と前記備品配設部内とを連絡する穴部の開口部が形成され、
前記備品収納部は、
該精算装置を前記天板上に立設させたときに前記金銭収納部と前記天板との間に形成される空間であることを特徴とする精算システム。
【請求項２】
精算カウンタと、前記精算カウンタに立設させ金銭を収納する金銭収納部を有する精算装置とから構成される精算システムであって、
前記精算カウンタは、
前記精算装置を据え付ける据付領域と前記据付領域の前方に買物カゴを通過させるカゴ通過領域とを有する天板と、
前記据付領域と前記カゴ通過領域の境界近傍の前記天板上に枠と
を備え、
前記精算装置は、
前記金銭収納部の下方に、備品を収納する備品収納部を備え、
前記備品収納部は、
該精算装置を前記天板上に立設させたときに前記金銭収納部と前記天板との間に形成される空間であることを特徴とする精算システム。
【請求項３】
精算装置を据え付ける据付領域と、
前記据付領域の前方に買物カゴを通過させるカゴ通過領域と
を有する天板と、
前記天板の下部に備品を配設する備品配設部と
を備え、
前記据付領域には、
前記天板を貫通する穴部の開口部が形成され、
前記穴部は、
前記据付領域上部と前記備品配設部内とを連絡する
ことを特徴とする精算カウンタ。  
【請求項４】
精算装置を据え付ける据付領域と前記据付領域の前方に買物カゴを通過させるカゴ通過領域とを有する天板と、
前記精算装置を前記据付領域上に立設させたときに該精算装置の筐体下部と前記据付領域との間に空間として形成される、備品を収納する備品収納部と、
前記据付領域と前記カゴ通過領域の境界近傍の前記天板上に枠と
を備えることを特徴とする精算カウンタ。
【発明の詳細な説明】
【技術分野】
【０００１】
本発明は、精算システムおよび精算カウンタに関する。
【背景技術】
【０００２】
通常、キャッシュレジスタが配置されている精算カウンタには、精算した商品を袋詰めするための袋やテープなどの備品を置くためのスペースが無いため、それらの備品は精算カウンタの下に収納する（例えば、特許文献１参照）。
【先行技術文献】
【特許文献】
【０００３】
【特許文献１】特開２０００−１２３２４９号公報
【発明の概要】
【発明が解決しようとする課題】
【０００４】
しかしながら、精算カウンタの下に備品を収納する場合、レジの作業者（オペレータ）は、精算時において備品を使用する都度、所望の備品を見つけるために、または、所望の備品を取り出すために腰を曲げる必要があるため、オペレータの身体への負担も蓄積し、また、作業効率も低下するという問題がある。
【０００５】
一方、精算カウンタの下でなく、精算カウンタの上に備品を配置する場合、備品を使用しているうちに、配置位置が段々とずれてしまうため、小まめに配置位置を整えるなどの注意を払っていなければ、精算カウンタの上が煩雑となるため、レジ周りの見栄えが悪くなるという問題がある。換言すれば、オペレータが、レジ周りの見栄えの向上に注意を払う分、作業効率が低下するという問題がある。
【０００６】
本発明は、このような事情に鑑みてなされたものであり、精算時に備品を使用する際に、オペレータの身体への負担が軽減し、また、作業効率が向上し、かつ、レジ周りの見栄えが改善する技術を提供することを目的とする。
【課題を解決するための手段】
【０００７】
上記問題を解決するために、本発明の一態様である精算システムの一例は、精算カウンタと、前記精算カウンタに立設させ金銭を収納する金銭収納部を有する精算装置とから構成される精算システムであって、前記精算カウンタは、前記精算装置を据え付ける据付領域と前記据付領域の前方に買物カゴを通過させるカゴ通過領域とを有する天板と、前記天板の下部に備品を配設する備品配設部とを備え、前記精算装置は、前記金銭収納部の下方に、備品を収納する備品収納部を備え、前記据付領域には、前記天板を貫通して当該据付領域上部と前記備品配設部内とを連絡する穴部の開口部が形成され、前記備品収納部は、該精算装置を前記天板上に立設させたときに前記金銭収納部と前記天板との間に形成される空間であることを特徴とする。
上記精算システムを構成する精算装置によれば、備品収納部が、精算カウンタ上（金銭収納部と天板との間の空間）にあるため、オペレータは、備品を使用する場合に、従来のように（比べ）腰を曲げる必要がなくなる。よって、オペレータの身体への負担が軽減し、また、オペレータの作業効率が向上する。また、備品収納部は、上述の如く、金銭収納部と天板との間の空間として形成されるため、換言すれば、備品収納部は金銭収納部の幅内に形成されるため、結果、備品は、金銭収納部の幅内に収納されることとなる。よって、備品を、そもそも、お客から見える位置に置かないため、レジ周りの見栄えが改善する。つまり、レジ周り見栄えの向上に注意を余り払う必要がなくなるため、作業効率が向上する。
なお、通常、精算カウンタの高さは買物カゴを載せる必要性からそれほど高く設定されていない（例えば、６３０〜６５０ｍｍ）が、上記精算装置では、精算カウンタ上に、備品収納部が設けられ、更にその上に金銭収納部が配置される。つまり、精算カウンタから所定の高さ位置に金銭収納部を配置するようにしたので、金銭収納部の下を備品収納部として利用することができる空間を確保できるようにしている。よって、オペレータによる前記備品の取り出し等の作業性が向上するのと同時に、オペレータは、無理のない姿勢（オペレータにとって低くない位置）で、金銭の受け渡しをすることができる。
また、上記精算システムを構成する精算カウンタによれば、備品を使用するときに、備品配設部に配置した備品（例えば、ビニール袋）を穴部から簡便に取り出して使用することができる。なお、穴部からは、備品（例えば、ビニール袋）の１回の使用分の端部（例えば、ビニール袋の一枚の先端部分）が取り出し易い態様により突出し、穴部から一使用分を取り出す毎に、順次、次の使用分が突出するようになっている。また、上記精算カウンタでは、精算装置の前に買物カゴが通過できる領域を有しているので、例えば、精算装置をはさんで精算カウンタの一方側にある精算が済んで空になった買物カゴを他方側へ移動させる場合も、該買物カゴを、精算カウンタ上を滑らせて移動させることができるので作業が容易になる。
【０００８】
上記問題を解決するために、本発明の一態様である精算システムの他の例は、精算カウンタと、前記精算カウンタに立設させ金銭を収納する金銭収納部を有する精算装置とから構成される精算システムであって、前記精算カウンタは、前記精算装置を据え付ける据付領域と前記据付領域の前方に買物カゴを通過させるカゴ通過領域とを有する天板と、前記据付領域と前記カゴ通過領域の境界近傍の前記天板上に枠とを備え、前記精算装置は、前記金銭収納部の下方に、備品を収納する備品収納部を備え、前記備品収納部は、該精算装置を前記天板上に立設させたときに前記金銭収納部と前記天板との間に形成される空間であることを特徴とする。
上記精算システムを構成する精算装置によれば、前述の例の精算システムを構成する精算装置と同様の効果を得ることができる。また、上記精算システムを構成する精算カウンタによれば、備品が、所定の収納場所（備品収納部／空洞部）の外（お客から見える位置）に飛び出し難くなるため、より一層、レジ周りの見栄えが改善する。
【０００９】
上記問題を解決するために、本発明の他の態様である精算カウンタの一例は、精算装置を据え付ける据付領域と、前記据付領域の前方に買物カゴを通過させるカゴ通過領域とを有する天板と、前記天板の下部に備品を配設する備品配設部とを備え、前記据付領域には、前記天板を貫通する穴部の開口部が形成され、前記穴部は、前記据付領域上部と前記備品配設部内とを連絡することを特徴とする。
上記精算カウンタによれば、備品を使用するときに、備品配設部に配置した備品（例えば、ビニール袋）を穴部から簡便に取り出して使用することができる。なお、穴部からは、備品（例えば、ビニール袋）の１回の使用分の端部（例えば、ビニール袋の一枚の先端部分）が取り出し易い態様により突出し、穴部から一使用分を取り出す毎に、順次、次の使用分が突出するようになっている。
【００１０】
上記問題を解決するために、本発明の他の態様である精算カウンタの他の例は、精算装置を据え付ける据付領域と前記据付領域の前方に買物カゴを通過させるカゴ通過領域とを有する天板と、前記精算装置を前記据付領域上に立設させたときに該精算装置の筐体下部と前記据付領域との間に空間として形成される、備品を収納する備品収納部と、前記据付領域と前記カゴ通過領域の境界近傍の前記天板上に枠とを備えることを特徴とする。  
上記精算カウンタによれば、備品が、所定の収納場所（備品収納部／空洞部）の外（お客から見える位置）に飛び出し難くなるため、より一層、レジ周りの見栄えが改善する。
【発明の効果】
【００１１】
本発明によれば、オペレータの身体への負担を軽減し、オペレータの作業効率を向上させることができるようになる。また、レジ周りの見栄えを改善させることができるようになる。
【図面の簡単な説明】
【００１２】
【図１】本発明の実施形態による精算カウンタおよび本発明の実施形態による精算装置を示す斜視図である。
【図２】本発明の実施形態による精算カウンタの一例を示す斜視図である。
【図３】本発明の実施形態による精算カウンタの他の一例を示す斜視図である。
【図４】本発明の実施形態による精算カウンタの他の一例を示す斜視図である。
【発明を実施するための形態】
【００１３】
以下、本発明の一実施形態を、図面を参照して説明する。図１は、本発明の実施形態による精算カウンタおよび本発明の実施形態による精算装置を示す斜視図である。精算装置１０は、精算カウンタ２０の天板２１の略中央の奥側に立設される。
【００１４】
精算装置１０は、１５インチ操作部１１、メカキー１２、スキャナ１３、ウォンドスキャナ１４、プリンタ１５、自動釣銭機１６および備品収納部１７を備える。
【００１５】
１５インチ操作部１１は、精算情報を店員に表示する店員向表示部と、店員から精算情報の入力を受け付けるタッチパネルとを有する液晶タッチパネルである。なお、店員向表示部は、プリセットキーを有し、商品登録した商品名や、その値段、合計金額などを表示する。
【００１６】
メカキー１２は、メカキー部であって、１５インチ操作部１１の下側に設けられている。該メカキー１２には、テンキー、預／現計キー、小計キー、取消キーなど、頻繁に操作されるキーが設けられている。
【００１７】
スキャナ１３は、商品に添付されているバーコード（商品コード）の読取部であって、メカキーの下側に設けられている。
【００１８】
ウォンドスキャナ１４は、商品に添付されているバーコード（商品コード）の読取部であって、筐体右側面に設けられている。ウォンドスキャナ１４は、店員が手操作でバーコード（商品コード）を読み取るときに使用する。プリンタ１５は、レシートを発行部であって、スキャナ１３の左側に設けられている。
【００１９】
自動釣銭機１６は、金銭を収納する金銭収納部と、硬貨を投入する硬貨入金口と、硬貨の釣銭が排出する硬貨出金口と、紙幣を投入／排出する紙幣入出金口とを有する釣銭機であって、スキャナ１３とプリンタ１５の下側に設けられている。
【００２０】
備品収納部１７は、備品（例えば、セロテープ（登録商標）、雑巾、ビニール袋）を収納する空洞部であって、自動釣銭機１６の下側（精算装置１を天板上に立設させたときに自動釣銭機１６と天板２１との間）に設けられている。
【００２１】
より詳細には、備品収納部１７は、精算装置１０の筐体を天板２１上に立設させたときに、天板２１の上面部１７ａを底面とし、筐体の両側面下部１７ｂを両側面とし、筐体の背面下部１７ｃを背面とし、自動釣銭機１６の底面部１７ｄを上面とし、筐体の前面に開口している。
【００２２】
なお、枠２３は、備品散乱防止用の枠である（詳細は後述する）。また、精算装置１０の前の天板２１には、買物カゴを天板２１の、例えば、右側から左側へと移動させるカゴ通過領域２１０が設けられている。
【００２３】
以上、精算装置１０によれば、備品収納部１７が、精算カウンタ２０上（自動釣銭機１６と天板２１との間の空間）にあるため、オペレータは、備品を使用する場合に、従来のように（比べ）腰を曲げる必要がなくなる。よって、オペレータの身体への負担が軽減し、また、オペレータの作業効率が向上する。また、備品収納部１７は、自動釣銭機１６と天板２１と左右後方の板との間の空間として形成されるため、より詳細には、備品収納部１７は、精算装置１０の筐体を天板２１上に立設させたときに、筐体の両側面下部を両側面として形成されるため、結果、備品は、自動釣銭機１６の幅内に収納されることとなる。よって、備品を、そもそも、お客から見える位置に置かないため、レジ周りの見栄えが改善する。つまり、レジ周り見栄えの向上に注意を余り払う必要がなくなるため、作業効率が向上する。また、精算装置１０では、備品収納部１７上に自動釣銭機１６が配置されるため、オペレータは、無理のない姿勢（オペレータにとって低くない位置）で、金銭の受け渡しをすることができる。
【００２４】
なお、精算装置１０は、背面下部１７ｃを有する例を説明したが、精算装置１０は、背面下部１７ｃを有しなくてもよい。つまり、備品収納部１７は、自動釣銭機１６と天板２１と左右の板との間の空間として形成されてもよい。即ち、備品収納部１７は、前後に筒抜けの構造であってもよい。また、精算装置１０は、背面下部１７ｃの一部（上部または下部の何れか一方又は両方）を有しなくてもよい。
【００２５】
なお、精算装置１０において、金銭収納部が、自動釣銭機１６である構成を説明したが、精算装置１０は、自動釣銭機能を有しなく、金銭を収納するドロワーとして機能する金銭収納部を備える構成であってもよい。
【００２６】
また、精算装置１０として、１５インチ操作部１１の下にメカキー１２が配置される例を説明したが、他の場所（例えば、１５インチ操作部１１の右側）にメカキー１２を配置してもよい。また、精算装置１０に、メカキー１２を設けなくてもよい。また、精算装置１０として、右側にスキャナ１３、左側にプリンタ１５が配置される例を説明したが、スキャナ１３とプリンタ１５とは他の位置関係（例えば、右側にプリンタ１５、左側にスキャナ１３を配置）であってもよい。
【００２７】
図２は、本発明の実施形態による精算カウンタの一例を示す斜視図である。精算カウンタ２０は、天板２１と備品配設部２２と備品散乱防止用枠２３とを備える。天板２１は、精算装置１０を立設して据え付ける据付領域２００と、買物カゴを通過させるカゴ通過領域２１０とを有する。据付領域２００に精算装置１０を据え付けた場合、据付領域２００は、お客側からは見えなくなる。
【００２８】
備品配設部２２は、備品（例えば、ビニール袋）を配設する場所であって、天板２１の下部に設けられている。備品散乱防止用枠２３は、据付領域２００とカゴ通過領域２１０の境界近傍に設けられている。
【００２９】
据付領域２００には、天板２１の据付領域２００内の一部を開閉する開閉部２０１であって、備品配設部２２に備品を配設するための開閉部２０１が形成されている。また、開閉部２０１が形成されている据付領域２００には、天板２１を貫通する穴部２０２の開口部が形成され、穴部２０２は、据付領域２００上部の空間と備品配設部２２内の空間とを連絡している。なお、精算装置１０の備品収納部１７の高さおよび開閉部２０１の大きさは、精算装置１０が据付領域２００に立設された場合に、備品配設部２２に備品を配設する際に開閉部２０１を開くことができる高さおよび大きさとなっている。
【００３０】
穴部２０２からは、備品（例えば、ビニール袋）の１回の使用分の端部（例えば、ビニール袋の一枚の先端部分）が取り出し易い態様により突出し、穴部２０２から１回の使用分を取り出す毎に、順次、次の使用分が突出するようになっている。具体的には、例えば、全体が連続して繋がっていて使用時にミシン目で分離されるものであってもよいし、ティシュ箱内のティシュペーパのように、全体が積層されていて使用分毎、引き出せるものであってもよい。つまり、通常は、前記ビニール袋を穴部２０２から取り出しているが、収納しているビニール袋が全て取り出された場合は、開閉部２０１を開けて、備品配設部２２にビニール袋を配設（充填）する。
【００３１】
以上、精算カウンタ２０によれば、据付領域２００には、備品配設部２２に備品を配設するための開閉部２０１が形成されているため、開閉部２０１から備品配置部２１に備品（例えば、ビニール袋のセット）を簡便に配置することができる。また、精算カウンタ２０によれば、開閉部２０１が形成されている据付領域２００には、据付領域２００上部の空間と備品配設部２２内の空間とを連絡している穴部２０２が形成されているため、穴部２０２に備品（例えば、ビニール袋の１枚の一端）を簡便にセットすることができる。また、備品を使用するときに、備品配設部２２に配置した備品を穴部２０２から簡便に取り出して使用することができる。
なお、穴部２０２の開口部は、据付領域２００の開閉部２０１が形成されている以外の位置に形成するようにしてもよいが、上述の如く、開閉部２０１が形成されている位置に形成する方が、備品を簡便にセットすることができるため好適である。
【００３２】
また、備品散乱防止用枠２３が、据付領域２００とカゴ通過領域２１０の境界近傍に設けられているため、備品（例えば、セロテープ（登録商標）、雑巾、ビニール袋）が、据付領域２００、即ち、精算装置１０の備品収納部１７／空洞部）の外（カゴ通過領域２１０、即ち、お客から見える位置）に飛び出し難くなるため、より一層、レジ周りの見栄えが改善する。
【００３３】
また、精算装置１０が、背面下部１７ｃを有しない場合（背面下部１７ｃの下部を有しない場合も含む）、精算カウンタ２０は、備品の後方（来店客側）への落下を防ぐため、据付領域２００とカゴ通過領域２１０の境界近傍に加え、据付領域２００の天板２１の端部にも備品散乱防止用枠２３を設けるようにしてもよい。
【００３４】
なお、精算カウンタ２０は、天板２１上の据付領域２００とカゴ通過領域２１０の境界近傍に、備品の飛び出し防止のため（上記場合には、更に、備品の後方への落下防止のため）の飛出防止部（飛出等防止部）として、備品散乱防止用枠２３を設ける例を説明したが、備品散乱防止用枠２３のような枠状以外の形状（例えば、蒲鉾状、土手状）の飛出等防止部（飛出等防止部）を上記境界近傍に設けてもよい。また、精算カウンタ２０は、枠状または枠状以外の形状（例えば、蒲鉾状、土手状）の飛出等防止部（飛出等防止部）を天板２１上に設けることに代えて、枠状または枠状以外の形状に突起した飛出等防止部（飛出等防止部）を有する天板２１を備えるようにしてもよい。即ち、飛出等防止部（飛出等防止部）は、天板２１上に別途形成されるものでなく、天板２１の一部として一体的に形成されるものであってもよい。また、セロテープ（登録商標）をセロテープ（登録商標）台にセットして備品収納部１７に収納する場合等、その位置がずれ難い備品を備品収納部１７に収納するような場合は、備品散乱防止用枠２３等の飛出防止部（飛出等防止部）それ自体が無くてもよい。
【００３５】
図３は、本発明の実施形態による精算カウンタの他の一例を示す斜視図である。精算カウンタ３０は、天板３１と備品配設部３２とを備える。天板３１は、精算装置１０を立設して据え付ける据付領域３００と、買物カゴを通過させるカゴ通過領域３１０とを有する。据付領域３００は、カゴ通過領域３１０に対して窪んでいる。据付領域３００に精算装置１０を据え付けた場合、据付領域３００は、お客側からは見えなくなる。
【００３６】
備品配設部３２は、備品（例えば、ビニール袋）を配設する場所であって、天板３１の下部に設けられている。
【００３７】
据付領域３００には、天板３１の据付領域３００内の一部を開閉する開閉部３０１であって、備品配設部３２に備品を配設するための開閉部３０１が形成されている。また、開閉部３０１が形成されている据付領域３００には、天板３１を貫通する穴部３０２の開口部が形成され、穴部３０２は、据付領域３００上部の空間と備品配設部３２内の空間とを連絡している。穴部３０２からは、備品（例えば、ビニール袋）の１回の使用分の端部（例えば、ビニール袋の一枚の先端部分）が取り出し易い態様により突出し、穴部３０２から１回の使用分を取り出す毎に、順次、次の使用分が突出するようになっている。
【００３８】
以上、精算カウンタ３０によれば、据付領域３００には、備品配設部３２に備品を配設するための開閉部３０１が形成されているため、開閉部３０１から備品配置部３１に備品（例えば、ビニール袋のセット）を簡便に配置することができる。また、精算カウンタ３０によれば、開閉部３０１が形成されている据付領域３００には、据付領域３００上部の空間と備品配設部３２内の空間とを連絡している穴部３０２が形成されているため、穴部３０２に備品（例えば、ビニール袋の１枚の一端）を簡便にセットすることができる。また、備品を使用するときに、備品配設部３２に配置した備品を穴部３０２から簡便に取り出して使用することができる。
なお、穴部３０２の開口部は、据付領域３００の開閉部３０１が形成されている以外の位置に形成するようにしてもよいが、上述の如く、開閉部３０１が形成されている位置に形成する方が、備品を簡便にセットすることができるため好適である。
【００３９】
また、据付領域３００が、カゴ通過領域３１０に対して窪んでいるため、備品（例えば、セロテープ（登録商標）、雑巾、ビニール袋）が、据付領域３００、即ち、精算装置１０の備品収納部１７／空洞部）の外（カゴ通過領域３１０、即ち、お客から見える位置）に飛び出し難くなるため、より一層、レジ周りの見栄えが改善する。
【００４０】
なお、精算装置１０が、背面下部１７ｃを有しない場合（背面下部１７ｃの下部を有しない場合も含む）、精算カウンタ３０は、備品の後方（来店客側）への落下を防ぐため、据付領域３００のうち天板３１の端部は、カゴ通過領域３１０に対して窪んでいないようにしてもよい。
【００４１】
なお、精算カウンタ２０（３０）において、開閉部２０１（３０１）によって備品を配設する備品配設部２２（３２）の構成を説明したが、備品を配設する構成はこれに限定されない。例えば、精算カウンタ２０（３０）は、開閉部２０１（３０１）に代えて、蓋（非図示）を備え、蓋（非図示）によって備品を備品配設部２２（３２）に配設するようにしてもよい。また、精算カウンタ２０（３０）は、開閉部２０１（３０１）および備品配設部２２（３２）に代えて、図４に示すように、天板２１（３１）の下部に引き出しである、備品配設部４２を備えるようにしてもよい。
【００４２】
また、精算カウンタ２０（３０）の穴部２０２（３０２）の開口部の形状は、図示した形状に限定されない。例えば、円形であってもよいし、多角形であってもよい。
【００４３】
以上、本実施形態によれば、オペレータの身体への負担を軽減し、オペレータの作業効率を向上させることができるようになる。また、レジ周りの見栄えを改善させることができるようになる。  
【００４４】
以上、この発明の実施形態について図面を参照して詳述してきたが、具体的な構成はこの実施形態に限られるものではなく、この発明の要旨を逸脱しない範囲の設計等も含まれる。
【符号の説明】
【００４５】
１０  精算装置
１１  １５インチ操作部
１２  メカキー
１３  スキャナ  
１４  ウォンドスキャナ
１５  プリンタ
１６  自動釣銭機
１７  備品収納部
２０  ３０  精算カウンタ
２１、３１  天板
２２、３２、４２  備品配設部
２３  備品散乱防止用枠
２００、３００  据付領域
２０１、３０１  開閉部
２０２、３０２  穴部
２１０、３１０  カゴ通過領域
【図１】
2014139835.tif 000003
【図２】
2014139835.tif 000004
【図３】
2014139835.tif 000005
【図４】
2014139835.tif 000006